(57)【要約】【課題】載置台へ置かれたパネル型テレビなど映像表示機の、取付が容易な転倒防止具及び転倒防止方法を提供することである。また、この発明の別の目的は、転倒防止具を取り付たけ後にパネル型テレビなど映像表示機の前面からの外観を大きく損なわないパネル型テレビなど映像表示機の転倒防止具を提供する。【解決手段】載置台へ置かれた脚を有するパネル型映像表示機の転倒を防止する転倒防止具であって、前記脚を係止する係止部と、前記載置台へ接続される固定部とを備え、前記係止部が面ファスナーを有するベルトで構成され、前記固定部がその下面に前記載置台へ接着される接着部を有する。【選択図】図１
2020188399.tif 000002
【特許請求の範囲】
【請求項１】
載置台へ置かれた脚を有するパネル型映像表示機の転倒を防止する転倒防止具であって、
前記脚を係止する係止部と、前記載置台へ接続される固定部とを備え、
前記係止部が面ファスナーを有するベルトで構成され、
前記固定部がその下面に前記載置台へ接着される接着部を有することを特徴とする転倒防止具。
【請求項２】
載置台へ置かれた先端部を有する脚を備えるパネル型映像表示機の転倒を防止する転倒防止具であって、
前記先端部が挿入されるテント部と、前記パネル型映像表示機が置かれる前記載置台へ接続される固定部とを備え、
前記固定部がその下面に前記載置台へ接着される接触部を有し、
前記接触部が滑り止め部材又は接着部材であることを特徴とする転倒防止具。
【請求項３】
載置台へ置かれた脚を有するパネル型映像表示機の転倒を防止する転倒防止具であって、
前記脚の一部が挿入される側面視コの字に形成される固定部がその下面に前記載置台へ接着される接着部を有することを特徴とする転倒防止具。
【請求項４】
側面視コの字に形成される前記固定部の上部と下部の間隔が可変になるように構成されることを特徴とする請求項３に記載の転倒防止具。
【請求項５】
側面視コの字に形成される前記固定部の上部と前記パネル型映像表示機の前記脚の間へ楔形状のストッパーが挿入されることを特徴とする請求項３又は４に記載の転倒防止具。
【請求項６】
前記ストッパーの前記上部又は前記パネル型映像表示機の前記脚に接する部分に摩擦係数を増すような加工がされ、又は滑り止め部材が装着されていることを特徴とする請求項５に記載の転倒防止具。
【請求項７】
前記請求項1乃至６何れか１項に記載された転倒防止具の種類を変えて組み合わせて用いることで前記パネル型映像表示機の転倒を防ぐ前記パネル型映像表示機の転倒防止方法。
【発明の詳細な説明】
【技術分野】
【０００１】
本発明は、机、専用ラック、棚等などの載置台の上に置かれるパネル型テレビなど映像表示機の転倒を防止する転倒防止具に関するものである。
【背景技術】
【０００２】
従来、地震や意図しない何らかの物品の衝突等における振動、揺れ及び傾きでパネル型テレビなど映像表示機が転倒することを防止する装置が種々提案されている。
【０００３】
たとえば、特許文献１に開示される転倒防止装置はパネル型テレビなど映像表示機の液晶表示画面部枠体の上下各々の左右に係合止め用の鍵型アームを設け、これに上下と前後に位置調節可能に支持連結するスタンドアームなどを備えており、載置台固定取り付け用の固定台に水平旋回可能に連結支持している。
【先行技術文献】
【特許文献】
【０００４】
【特許文献１】特開２０１２−２３５４３３号公報
【発明の概要】
【発明が解決しようとする課題】
【０００５】
しかしながら、特許文献１に開示されるパネル型テレビの転倒防止装置は、その構造上、多数のアームを使用しなければならないため、組み立てが難しく取り付けが困難となる課題があった。
【０００６】
また、特許文献１に開示されるパネル型テレビの転倒防止装置は、パネル型テレビの上下部分に押さえ金具が取り付けられるので、前面から見た際に外観が損なわれるという課題があった。
【０００７】
この発明の目的は、上述した事情に鑑みなされたもので、組み立てが容易で取り付けが簡便なパネル型テレビなど映像表示機の転倒防止具及び転倒防止方法を提供することである。
【０００８】
また、この発明の別の目的は、転倒防止具を取り付たけ後にパネル型テレビなど映像表示機の前面からの外観を大きく損なわないパネル型テレビなど映像表示機の転倒防止具を提供することである。
【課題を解決するための手段】
【０００９】
本発明の転倒防止具は、載置台へ置かれた脚を有するパネル型映像表示機の転倒を防止する転倒防止具であって、前記脚を係止する係止部と、前記載置台へ接続される固定部とを備え、前記係止部が面ファスナーを有するベルトで構成され、前記固定部がその下面に前記載置台へ接着される接着部を有することを特徴とする。
【００１０】
本発明の転倒防止具は、パネル型テレビなど映像表示機等のパネル型映像表示装置の脚を係止する係止部と、前記パネル型映像表示機が置かれる載置台へ固定される固定部とを備え、前記係止部が面ファスナーを有するベルトで構成され、前記固定部がその下面に前記載置台へ接着される接着部を有するのでパネル型映像表示装置の脚を面ファスナーを用いて簡便に係止してパネル型映像表示機を載置台へ固定することができる。
【００１１】
請求項２に記載された発明は、載置台へ置かれた先端部を有する脚を備えるパネル型映像表示機の転倒を防止する転倒防止具であって、前記先端部が挿入されるテント部と、前記載置台へ接続される固定部とを備え、前記固定部がその下面に前記載置台へ接着される接触部を有し、前記接触部が滑り止め部材又は接着部材であることを特徴とする転倒防止具である。
【００１２】
載置台へ置かれた先端部を有する脚を備えるパネル型映像表示機の転倒を防止する転倒防止具であって、前記先端部が挿入されるテント部と、前記載置台へ接続される固定部とを備え、前記固定部がその下面に前記載置台へ接着される接触部を有し、前記接触部が滑り止め部材又は接着部材であるので、先端部を有する脚を備えるパネル型映像表示機を確実に載置台へ固定することができる。
【００１３】
請求項３に記載された発明は、載置台へ置かれた脚を有するパネル型映像表示機の転倒を防止する転倒防止具であって、前記脚の一部が挿入される側面視コの字に形成される固定部がその下面に前記載置台へ接着される接着部を有することを特徴とする転倒防止具である。
【００１４】
本発明の転倒防止具は、載置台へ置かれた脚を有するパネル型映像表示機の転倒を防止する転倒防止具であって、前記脚の一部が挿入される側面視コの字に形成される固定部がその下面に前記載置台へ接着される接着部を有するので、脚の一部が転倒防止具により係止されパネル型映像表示機を確実に載置台へ固定することができる。
【００１５】
請求項４に記載の発明は、請求項３に記載の転倒防止具において、側面視コの字に形成される前記固定部の上部と下部の間隔が可変になるように構成されることを特徴とする。
【００１６】
側面視コの字に形成される前記固定部の上部と下部の間隔が可変になるので、厚みの異なる脚に柔軟に対応することができる。
【００１７】
請求項５に記載の発明は、請求項３又は４に記載の転倒防止具において、側面視コの字に形成される前記固定部の上部とパネル型映像表示機の脚の間へ楔形状のストッパーが挿入されることを特徴とする。
【００１８】
側面視コの字に形成される前記固定部の上部とパネル型映像表示機の脚の間へ楔形状のストッパーが挿入されるのでパネル型映像表示機の脚がコの字に形成される前記固定部へ確実に係止される。
【００１９】
請求項６に記載の発明は、請求項５に記載の転倒防止具において前記ストッパーの前記上部又はパネル型映像表示機の脚に接する部分に摩擦係数を増すような加工がされ、又は滑り止め部材が装着されていることを特徴とする転倒防止具である。
【００２０】
ストッパーの前記上部又はパネル型映像表示機の脚に接する部分に摩擦係数を増すような加工がされ、又は滑り止め部材が装着されているのでパネル型映像表示機の脚が確実に転倒防止具へ係止される。
【００２１】
請求項７に記載の発明は、前記請求項1乃至６何れか１項に記載された転倒防止具の種類を変えて組み合わせて用いることで前記パネル型映像表示機の転倒を防ぐパネル型映像表示機の転倒防止方法である。
【００２２】
請求項1乃至６何れか１項に記載された転倒防止具の種類を変えて組み合わせて用いるので様々な形状の脚を確実に係止してパネル型映像表示機の転倒を防ぐことができる。
【図面の簡単な説明】
【００２３】
【図１】固定部５と係止部１を備える第１実施例の転倒防止具の説明図である。
【図２】（Ａ）第１実施例の転倒防止具の側面図、（Ｂ）第１実施例の転倒防止具の固定部の平面図である。
【図３】（Ａ）第２実施例の転倒防止具の斜視図、（Ｂ）底面図、（Ｃ）斜視図である。
【図４】パネル型映像表示機５０の（Ａ）先端部を有する脚５１へ装着される第２実施例の転倒防止具２００と、脚の中間部を係止して載置台へ固定する第１実施例の転倒防止具１００使用例の説明図である。（Ｂ）中抜きされた半円の脚を係止して載置台へ固定する第１実施例の転倒防止具１００使用例の説明図である。
【図５】第３実施例の側面視コの字型の転倒防止具３００の上部が（Ａ）上昇した場合、下降した場合の説明図である。
【図６】第４実施例の側面視コの字型の転倒防止具４００の説明図である。
【図７】第４実施例の側面視コの字型の転倒防止具４００の使用例の（Ａ）側面図、（Ｂ）斜視図である。
【発明を実施するための形態】
【００２４】
（第1実施例）
以下、本発明の第１実施例を図面に基づいて説明する。係止部を構成する、パネル型映像表示機５０の脚を係止するベルト１が載置台へ転倒防止具を固定する固定部２のベルト挿通部へ通され、ベルト１には、互いに付着する面ファスナー３，４が取り付けられている。ベルト１をパネル型映像表示機の脚に巻き付け、凸の面ファスナー３と凹の面ファスナー４で脚を係止する。固定部２は下面に接着面５を有しこれで載置面へ固定する。ベルトの材質は摩耗に強く耐水性、耐候性に優れているポリエステルが好適である。
【００２５】
図２（Ａ）は、第1実施例の転倒防止具の側面図である。ベルト１が固定部２のベルト挿通部へ通され、ベルト１には凸面ファスナ―３と凹面ファスナー４が取り付けられている。このベルト１でパネル型映像表示機の脚を係止して固定部２の接着部５で載置台に接着固定する。面ファスナー３，４はその付着位置を変えることが容易なので脚の太さの違いに簡便に対応ができる。そしてベルト１の脚に接する面に滑り止め加工をするとパネル型映像表示機の脚の係止をより確実に行える。
【００２６】
図２（Ｂ）は固定部２の平面図である。ベルト挿通部が固定部の中央に設けられており、通し部の挿通穴の幅はベルトよりも大きくなっている。パネル型映像表示機の脚は図２（Ｂ）の上下方向へ位置するので、パネル型映像表示機が揺れてベルトが引っ張られるとベルト挿通部のベルトは挿通穴の中で自由に動き、挿通穴の片側に寄り固定部の載置台からの剥離モーメントが小さくなる。固定部を剥がすときはベルト挿通部に外力を加えて回転させると容易に剥がすことができる。
【００２７】
（第２実施例）
図３を用いて本発明の第２実施例の転倒防止具を説明する。図３（Ａ）、（Ｃ）は第２実施例の転倒防止具の斜視図である。パネル型映像表示機の脚の形状で先端部を有するものについて第２実施例の転倒防止はその先端部が挿入されるテント部１０を有する。テント部の素材は柔軟な布でも硬めの合成樹脂図でも良い。図３（Ｂ）は三角形に形成された固定部１１の底面図であり、周囲のギザギザはテント部１０の切断加工に伴うものである。固定部の下面には載置台へ接触する接触部１２が設けられ、接触部は載置台との摩擦係数の大きい滑り止め部材又は接着部材が用いられる。滑り止め部材としてはポリウレタン、シリコン素材或いはゴム素材が好適である。
【００２８】
テント部１０へ挿入されたパネル型映像表示機５０の脚５１の先端は固定部１１の下面の接触部１２により載置台と接続され、パネル型映像表示機５０の転倒を防止する。接触部１２が接着部材である場合はテント１０に挿入されたパネル型映像表示機５０の脚５１のテントの先端方向への移動及び上方への持ち上がりが防止されるのでパネル型映像表示機５０の平面視の対角線の脚５１へ実施例２の転倒防止具を用いることでパネル型映像表示機５０の転倒を効果的に防止することができる。
【００２９】
図４を用いて本発明に係る転倒防止具の使用例を説明する。図４（Ａ）の映像表示装置５０の脚５１の先端は本発明の第２実施例のテント式の転倒防止具２００へ挿入されて載置台へ接続される。第２実施例の接触部に滑り止め部材が用いられると滑り止め部材により水平方向の滑り出しが防止される。さらに、脚５１の中間部分が本発明の第１実施例の転倒防止具１００のベルト１で係止される。第１実施例の固定部により載置台へ接着固定されることで足５１の持ち上がりを防止する。脚の形状に応じて種類の異なる転倒防止具を用いることで効果的に映像表示機の転倒を防止することができる。
【００３０】
図４（Ｂ）の使用例は、平面視でパネル型映像表示機の半円形の脚の一部を第１実施例の転倒防止具１００で固定した例である。パネル型映像表示機の脚の形状は様々なので、その形状に合わせて異なる転倒防止具を組み合わせて用いることが好適である。
【００３１】
（第３実施例）
図５を用いて側面視コの字に形成された転倒防止具３００を説明する。この転倒防止具は上下２つに分かれており、上部３１が上下に移動可能に構成され上部と下部の間隔が可変になる。下部３２に上下方向に延びた長穴３４が設けられ、上部がボルト３３で長穴３４を介して下部へ固定される。図５（Ａ）は上部が上方へ移動した場合、図５（Ｂ）は下方へ移動した場合である。長穴の大きさの範囲で上部と下部の間隔を変えることができるので様々な厚みの脚を上部と下部の間に挟んで固定することができる。ボルト３３はネジなどでもよいことは勿論である。
【００３２】
下部３２の下面には接着部３５が設けられ、その接着部３５により転倒防止具３００が載置台へ固定される。
【００３３】
（第４実施例）
図６を用いて側面視コの字に形成された転倒防止具４００について説明する。材質は硬質の合成樹脂がコスト面で好適である。映像表示機５０の脚５１を側面視コの字に形成された転倒防止具４００へ挿入し、脚５１の上面と転倒防止具４００の上部との間へ楔形状のストッパー４２を挿入して脚５１を転倒防止具４０へ係止する。転倒防止具の下面には接着部４１が備えられ、この接着部４１で載置台へ接着固定して映像表示機の転倒を防止する。ストッパー４２の脚５１の上面と転倒防止具４００の上部に接する部分に凹凸等摩擦係数を増すような加工がされ、又は滑り止め部材が装着されていると脚５１が転倒防止具４００へ確実に係止される。
【００３４】
図７を用いて側面視コの字に形成された転倒防止具４００の使用例について説明する。図７（Ａ）は側面図、（Ｂ）は斜視図である。図７（Ａ）に示すように平面視長方形の脚の前面部と後面部の端部へ転倒防止具４００を装着する。脚５１の前後で載置台へ接着固定された転倒防止具４００のコの字の中に脚の一部が挿入されて係止されるので脚５１は平面内の移動も上下方向への移動もできなくなり映像表示機５０の転倒が防止される。
【００３５】
図７（Ｂ）に示すように、転倒防止具４００を装着しても映像表示機の外観を損なうことが無く、使い勝手の良いことが分かる。
【００３６】
上記に説明したように、本発明に係る転倒防止具を用いることでパネル型の映像表示機５０の転倒を有効に防止する転倒防止方法が提供される。特に、脚５１の形状に応じて異なる種類の転倒防止具を組み合わせて用いることが好適であり、効果的な映像表示機５０の転倒防止方法を実現できる。
【００３７】
本発明による転倒防止具は、構造が簡単で組み立て、取り付けが容易であるとともにパネル型テレビなど映像表示機の前面からみた外観を大きく損ねることなくパネル型テレビなど映像表示機の転倒を防止するという効果を持ち、産業に役立つものである。
【符号の説明】
【００３８】
１  ベルト
２  固定部
３  凸型面ファスナー
４  凹型面ファスナー
５  接着部
１００  第１実施例の転倒防止具
５  長さ調整部
６  ベルト通し
１０  テント部
１１  固定部
１２  接触部
２００  第２実施例の転倒防止具
３１  側面視コの字形状の転倒防止具の上部
３２  側面視コの字形状の転倒防止具の下部
３３  ボルト（ネジ）
３４  長穴
３５  接着部
３００  第３実施例の転倒防止具
４０  側面視コの字形状
４１  接着部
４２  ストッパー
４００  第４実施例の転倒防止具
５０  映像表示機
５１  映像表示機の脚
【図１】
2020188399.tif 000003
【図２】
2020188399.tif 000004
【図３】
2020188399.tif 000005
【図４】
2020188399.tif 000006
【図５】
2020188399.tif 000007
【図６】
2020188399.tif 000008
【図７】
2020188399.tif 000009